【手続補正書】
【提出日】平成16年10月7日(2004.10.7)
【手続補正１】
【補正対象書類名】明細書
【補正対象項目名】特許請求の範囲
【補正方法】変更
【補正の内容】
【特許請求の範囲】
【請求項１】
音声情報を処理する少なくとも１つ以上の音声処理手段にネットワークを介して接続可能な音声処理装置であって、
音声情報を取得する取得手段と、
前記音声処理手段の中から、前記音声情報を処理させる複数の音声処理手段及び、該複数の音声処理手段の優先順位を指定する指定手段と、
前記指定手段で指定された優先順位が高い音声処理手段に対して前記音声情報を送信し、該音声処理手段において該音声情報が適切に処理されなかった場合に、指定された優先順位が後の音声処理手段に対して前記音声情報を送信する送信手段と、
前記音声処理手段において所定の規則を用いて処理された前記音声情報を受信する受信手段と
を備えることを特徴とする音声処理装置。
【請求項２】
前記音声処理手段に接続された１又は複数の保持手段、或いは、前記ネットワークに直接接続された１又は複数の保持手段に保持されている１又は複数の規則を指定する規則指定手段をさらに備え、
前記受信手段が、前記音声処理手段において、前記規則指定手段により指定された前記１又は複数の規則を用いて処理された前記音声情報を受信する
ことを特徴とする請求項１に記載の音声処理装置。
【請求項３】
前記指定手段は、前記音声処理手段の場所がマークアップ言語を用いて記述された指示情報に基づいて、該音声処理手段を指定することを特徴とする請求項１に記載の音声処理装置。
【請求項４】
前記規則指定手段は、前記保持手段の場所がマークアップ言語を用いて記述された規則指示情報に基づいて、該保持手段に保持された前記規則を指定することを特徴とする請求項３に記載の音声処理装置。
【請求項５】
前記音声処理手段において前記音声情報の処理に用いられる前記１又は複数の規則をマークアップ言語を用いて記述する規則記述手段をさらに備えることを特徴とする請求項１に記載の音声処理装置。
【請求項６】
前記指定手段による前記音声処理手段の場所の指定、又は、前記規則指定手段による前記規則の場所の指定をブラウザの設定により行うことを特徴とする請求項２に記載の音声処理装置。
【請求項７】
ブラウザに所定の音声処理手段が設定されている場合、前記指定手段は、前記優先順位より優先して、前記ブラウザに設定されている該音声処理手段を指定することを特徴とする請求項６に記載の音声処理装置。
【請求項８】
前記音声情報を処理可能な音声処理手段の履歴情報を記憶する記憶手段をさらに備え、
前記指定手段が、前記記憶手段に記憶された前記履歴情報に基づいて、前記音声情報を処理させる音声処理手段を指定する
ことを特徴とする請求項１に記載の音声処理装置。
【請求項９】
それぞれの音声処理手段についてのアクセス回数、採用回数、誤処理回数及びエラー回数をパラメータとして得点を算出する算出手段をさらに備え、
前記記憶手段が、前記算出手段によって算出された前記得点を前記履歴情報として記憶し、
前記指定手段が、前記記憶手段に記憶された最高得点の履歴情報を有する音声処理手段を指定する
ことを特徴とする請求項８に記載の音声処理装置。
【請求項１０】
前記音声処理手段が音声情報を所定の文法規則に基づいて音声認識する音声認識手段であって、
前記指定手段により指定された音声認識手段に対して、前記規則指定手段により指定された文法規則に基づいて、前記取得手段により取得された前記音声情報の音声認識を行わせる
ことを特徴とする請求項１に記載の音声処理装置。
【請求項１１】
前記音声処理手段が音声情報を所定の単語の読み辞書に基づいて音声合成する音声合成手段であって、
前記指定手段により指定された音声合成手段に対して、前記規則指定手段により指定された単語の読み辞書に基づいて、前記取得手段により取得された前記音声情報の音声合成を行わせる
ことを特徴とする請求項１に記載の音声処理装置。
【請求項１２】
音声情報を処理する少なくとも１つ以上の音声処理手段にネットワークを介して接続可能な音声処理装置であって、
音声情報を取得する取得手段と、
前記音声処理手段の中から、前記音声情報を処理させる複数の音声処理手段を指定する指定手段と、
前記音声情報を前記指定手段により指定された前記音声処理手段に送信する送信手段と、
前記音声処理手段において所定の規則を用いて処理された前記音声情報の処理結果を受信する受信手段と、
前記受信手段で受信した前記処理結果の中から所定の処理結果を選択する選択手段と
を備えることを特徴とする音声処理装置。
【請求項１３】
前記選択手段が、前記受信手段によって、前記複数の音声処理手段のそれぞれにおいて処理された前記音声情報のうち、最初に受信した音声情報の処理結果を選択することを特徴とする請求項１２に記載の音声処理装置。
【請求項１４】
前記選択手段が、前記複数の音声処理手段による前記処理結果の中から、最多数受信された処理結果を選択することを特徴とする請求項１２に記載の音声処理装置。
【請求項１５】
前記選択手段が、前記複数の音声処理手段による前記処理結果の中から、それぞれの処理結果の確信度を用いて処理結果を選択することを特徴とする請求項１２に記載の音声処理装置。
【請求項１６】
ネットワークを介して接続可能な音声情報を処理する少なくとも１つ以上の音声処理装置を用いる音声処理方法であって、
音声情報を取得する取得工程と、
前記音声処理装置の中から、前記音声情報を処理させる複数の音声処理装置及び、該複数の音声処理装置の優先順位を指定する指定工程と、
前記指定工程で指定された優先順位が先の音声処理装置に対して前記音声情報を送信し、該音声処理装置において該音声情報が適切に処理されなかった場合に、指定された優先順位が後の音声処理装置に対して前記音声情報を送信する送信工程と、
前記音声処理装置において所定の規則を用いて処理された前記音声情報を受信する受信工程と
を有することを特徴とする音声処理方法。
【請求項１７】
ネットワークを介して接続可能な音声情報を処理する少なくとも１つ以上の音声処理装置を用いる音声処理方法であって、
音声情報を取得する取得工程と、
前記音声処理装置の中から、前記音声情報を処理させる複数の音声処理装置を指定する指定工程と、
前記音声情報を前記指定工程において指定された前記音声処理装置に送信する送信工程と、
前記音声処理装置において所定の規則を用いて処理された前記音声情報の処理結果を受信する受信工程と、
前記受信工程で受信した前記処理結果の中から所定の処理結果を選択する選択工程と
を有することを特徴とする音声処理方法。
【請求項１８】
音声情報を処理する少なくとも１つ以上の音声処理装置にネットワークを介して接続可能なコンピュータに、
音声情報を取得する取得手順と、
前記音声処理装置の中から、前記音声情報を処理させる複数の音声処理装置及び、該複数の音声処理装置の優先順位を指定する指定手順と、
前記指定手順で指定された優先順位が先の音声処理装置に対して前記音声情報を送信し、該音声処理装置において該音声情報が適切に処理されなかった場合に、指定された優先順位が後の音声処理装置に対して前記音声情報を送信する送信手順と、
前記音声処理装置において所定の規則を用いて処理された前記音声情報を受信する受信手順と
を実行させるためのプログラム。
【請求項１９】
音声情報を処理する少なくとも１つ以上の音声処理装置にネットワークを介して接続可能なコンピュータに、
音声情報を取得する取得手順と、
前記音声処理手段の中から、前記音声情報を処理させる複数の音声処理手段を指定する指定手順と、
前記音声情報を前記指定手順において指定された前記音声処理手段に送信する送信手順と、
前記音声処理手段において所定の規則を用いて処理された前記音声情報の処理結果を受信する受信手順と、
前記受信工程で受信した前記処理結果の中から所定の処理結果を選択する選択手順と
を実行させるためのプログラム。
【請求項２０】
請求項１８に記載のプログラムを格納したことを特徴とするコンピュータ読み取り可能な記録媒体。
【請求項２１】
請求項１９に記載のプログラムを格納したことを特徴とするコンピュータ読み取り可能な記録媒体。
【手続補正２】
【補正対象書類名】明細書
【補正対象項目名】０００７
【補正方法】変更
【補正の内容】
【０００７】
【課題を解決するための手段】
上記課題を解決するために、本発明は、音声情報を処理する少なくとも１つ以上の音声処理手段にネットワークを介して接続可能な音声処理装置であって、
音声情報を取得する取得手段と、
前記音声処理手段の中から、前記音声情報を処理させる複数の音声処理手段及び、該複数の音声処理手段の優先順位を指定する指定手段と、
前記指定手段で指定された優先順位が高い音声処理手段に対して前記音声情報を送信し、該音声処理手段において該音声情報が適切に処理されなかった場合に、指定された優先順位が後の音声処理手段に対して前記音声情報を送信する送信手段と、
前記音声処理手段において所定の規則を用いて処理された前記音声情報を受信する受信手段と
を備えることを特徴とする。
【手続補正３】
【補正対象書類名】明細書
【補正対象項目名】０００８
【補正方法】変更
【補正の内容】
【０００８】
また、本発明は、音声情報を処理する少なくとも１つ以上の音声処理手段にネットワークを介して接続可能な音声処理装置であって、
音声情報を取得する取得手段と、
前記音声処理手段の中から、前記音声情報を処理させる複数の音声処理手段を指定する指定手段と、
前記音声情報を前記指定手段により指定された前記音声処理手段に送信する送信手段と、
前記音声処理手段において所定の規則を用いて処理された前記音声情報の処理結果を受信する受信手段と、
前記受信手段で受信した前記処理結果の中から所定の処理結果を選択する選択手段と
を備えることを特徴とする。